【手続補正書】
【提出日】平成26年1月22日(2014.1.22)
【手続補正１】
【補正対象書類名】特許請求の範囲
【補正対象項目名】全文
【補正方法】変更
【補正の内容】
【特許請求の範囲】
【請求項１】
動画像の各ピクチャを分割したブロック単位で動きベクトルを用いて符号化する画像符号化装置であって、
符号化対象ブロックの複数の参照ブロック候補の符号化情報を取得する取得部と、
インデックスによって特定される参照ブロックの前記符号化情報が備える動きベクトルの情報を用いる第１の画像間予測モードにおいて、第１の所定順位に基づいて前記複数の参照ブロック候補から第１の候補リストを生成し、前記第１の候補リストに登録された参照ブロック候補を特定する為のインデックスを付与し、前記複数の参照ブロック候補のインデックスを出力する第１のモード検出部と、
インデックスによって特定される参照ブロックの前記符号化情報が備える動きベクトルの情報に基づく予測動きベクトルと前記符号化対象ブロックの動きベクトルとの差分動きベクトルを用いる第２の画像間予測モードにおいて、第２の所定順位に基づいて前記複数の参照ブロック候補から第２の候補リストを生成し、前記第２の候補リストに登録された参照ブロック候補を特定する為のインデックスを付与し、前記複数の参照ブロック候補のインデックス及び前記差分動きベクトルを出力する第２のモード検出部と、
前記第１のモード検出部及び前記第２のモード検出部の出力結果をもとに、前記符号化対象ブロックごとの参照ブロックと画像間予測モードとを決定する予測方法決定部と、
前記予測方法決定部により決定された参照ブロックのインデックスと、前記予測方法決定部により決定された画像間予測モードを示す予測モード情報と、第２の画像間予測モードが決定された場合の参照ブロックに対応した前記差分動きベクトルとを符号化する符号列生成部と、
を備え、
前記第１のモード検出部及び前記第２のモード検出部は、前記複数の参照ブロック候補として、共通の複数のブロックを使用する、
ことを特徴とする画像符号化装置。
【請求項２】
動画像の各ピクチャを分割したブロック単位で動きベクトルを用いて符号化する画像符号化方法であって、
符号化対象ブロックの複数の参照ブロック候補の符号化情報を取得する第１ステップと、
インデックスによって特定される参照ブロックの前記符号化情報が備える動きベクトルの情報を用いる第１の画像間予測モードにおいて、第１の所定順位に基づいて前記複数の参照ブロック候補から第１の候補リストを生成し、前記第１の候補リストに登録された参照ブロック候補を特定する為のインデックスを付与し、前記複数の参照ブロック候補のインデックスを出力する第２ステップと、
インデックスによって特定される参照ブロックの前記符号化情報が備える動きベクトルの情報に基づく予測動きベクトルと前記符号化対象ブロックの動きベクトルとの差分動きベクトルを用いる第２の画像間予測モードにおいて、第２の所定順位に基づいて前記複数の参照ブロック候補から第２の候補リストを生成し、前記第２の候補リストに登録された参照ブロック候補を特定する為のインデックスを付与し、前記複数の参照ブロック候補のインデックス及び前記差分動きベクトルを出力する第３ステップと、
前記第２ステップ及び前記第３ステップにより出力される出力結果をもとに、前記符号化対象ブロックごとの参照ブロックと画像間予測モードとを決定する第４ステップと、
前記第４ステップにより決定された参照ブロックのインデックスと、前記第４ステップにより決定された画像間予測モードを示す予測モード情報と、第２の画像間予測モードが決定された場合の参照ブロックに対応した前記差分動きベクトルとを符号化する第５ステップと、
を有し、
前記第２ステップ及び前記第３ステップは、前記複数の参照ブロック候補として、共通の複数のブロックを使用する、
ことを特徴とする画像符号化方法。
【請求項３】
動画像の各ピクチャを分割したブロック単位で動きベクトルを用いて符号化する画像符号化プログラムであって、
符号化対象ブロックの複数の参照ブロック候補の符号化情報を取得する第１処理と、
インデックスによって特定される参照ブロックの前記符号化情報が備える動きベクトルの情報を用いる第１の画像間予測モードにおいて、第１の所定順位に基づいて前記複数の参照ブロック候補から第１の候補リストを生成し、前記第１の候補リストに登録された参照ブロック候補を特定する為のインデックスを付与し、前記複数の参照ブロック候補のインデックスを出力する第２処理と、
インデックスによって特定される参照ブロックの前記符号化情報が備える動きベクトルの情報に基づく予測動きベクトルと前記符号化対象ブロックの動きベクトルとの差分動きベクトルを用いる第２の画像間予測モードにおいて、第２の所定順位に基づいて前記複数の参照ブロック候補から第２の候補リストを生成し、前記第２の候補リストに登録された参照ブロック候補を特定する為のインデックスを付与し、前記複数の参照ブロック候補のインデックス及び前記差分動きベクトルを出力する第３処理と、
前記第２処理及び前記第３処理により出力される出力結果をもとに、前記符号化対象ブロックごとの参照ブロックと画像間予測モードとを決定する第４処理と、
前記第４処理により決定された参照ブロックのインデックスと、前記第４処理により決定された画像間予測モードを示す予測モード情報と、第２の画像間予測モードが決定された場合の参照ブロックに対応した前記差分動きベクトルとを符号化する第５処理と、
をコンピュータに実行させ、
前記第２処理及び前記第３処理は、前記複数の参照ブロック候補として、共通の複数のブロックを使用する、
ことを特徴とする画像符号化プログラム。
【請求項４】
動画像の各ピクチャを分割したブロック単位で動きベクトルを用いて符号化する画像符号化方法により符号化された符号化ストリームをパケット化して符号化データを得るパケット処理部と、
パケット化された前記符号化データを送信する送信部と
を備え、
前記画像符号化方法は、
符号化対象ブロックの複数の参照ブロック候補の符号化情報を取得する第１ステップと、
インデックスによって特定される参照ブロックの前記符号化情報が備える動きベクトルの情報を用いる第１の画像間予測モードにおいて、第１の所定順位に基づいて前記複数の参照ブロック候補から第１の候補リストを生成し、前記第１の候補リストに登録された参照ブロック候補を特定する為のインデックスを付与し、前記複数の参照ブロック候補のインデックスを出力する第２ステップと、
インデックスによって特定される参照ブロックの前記符号化情報が備える動きベクトルの情報に基づく予測動きベクトルと前記符号化対象ブロックの動きベクトルとの差分動きベクトルを用いる第２の画像間予測モードにおいて、第２の所定順位に基づいて前記複数の参照ブロック候補から第２の候補リストを生成し、前記第２の候補リストに登録された参照ブロック候補を特定する為のインデックスを付与し、前記複数の参照ブロック候補のインデックス及び前記差分動きベクトルを出力する第３ステップと、
前記第２ステップ及び前記第３ステップにより出力される出力結果をもとに、前記符号化対象ブロックごとの参照ブロックと画像間予測モードとを決定する第４ステップと、
前記第４ステップにより決定された参照ブロックのインデックスと、前記第４ステップにより決定された画像間予測モードを示す予測モード情報と、第２の画像間予測モードが決定された場合の参照ブロックに対応した前記差分動きベクトルとを符号化する第５ステップと、
を有し、
前記第２ステップ及び前記第３ステップは、前記複数の参照ブロック候補として、共通の複数のブロックを使用する、
ことを特徴とする送信装置。
【請求項５】
動画像の各ピクチャを分割したブロック単位で動きベクトルを用いて符号化する画像符号化方法により符号化された符号化ストリームをパケット化して符号化データを得るパケット処理ステップと、
パケット化された前記符号化データを送信する送信ステップと
を備え、
前記画像符号化方法は、
符号化対象ブロックの複数の参照ブロック候補の符号化情報を取得する第１ステップと、
インデックスによって特定される参照ブロックの前記符号化情報が備える動きベクトルの情報を用いる第１の画像間予測モードにおいて、第１の所定順位に基づいて前記複数の参照ブロック候補から第１の候補リストを生成し、前記第１の候補リストに登録された参照ブロック候補を特定する為のインデックスを付与し、前記複数の参照ブロック候補のインデックスを出力する第２ステップと、
インデックスによって特定される参照ブロックの前記符号化情報が備える動きベクトルの情報に基づく予測動きベクトルと前記符号化対象ブロックの動きベクトルとの差分動きベクトルを用いる第２の画像間予測モードにおいて、第２の所定順位に基づいて前記複数の参照ブロック候補から第２の候補リストを生成し、前記第２の候補リストに登録された参照ブロック候補を特定する為のインデックスを付与し、前記複数の参照ブロック候補のインデックス及び前記差分動きベクトルを出力する第３ステップと、
前記第２ステップ及び前記第３ステップにより出力される出力結果をもとに、前記符号化対象ブロックごとの参照ブロックと画像間予測モードとを決定する第４ステップと、
前記第４ステップにより決定された参照ブロックのインデックスと、前記第４ステップにより決定された画像間予測モードを示す予測モード情報と、第２の画像間予測モードが決定された場合の参照ブロックに対応した前記差分動きベクトルとを符号化する第５ステップと、
を有し、
前記第２ステップ及び前記第３ステップは、前記複数の参照ブロック候補として、共通の複数のブロックを使用する、
ことを特徴とする送信方法。
【請求項６】
動画像の各ピクチャを分割したブロック単位で動きベクトルを用いて符号化する画像符号化方法により符号化された符号化ストリームをパケット化して符号化データを得るパケット処理ステップと、
パケット化された前記符号化データを送信する送信ステップと
をコンピュータに実行させ、
前記画像符号化方法は、
符号化対象ブロックの複数の参照ブロック候補の符号化情報を取得する第１ステップと、
インデックスによって特定される参照ブロックの前記符号化情報が備える動きベクトルの情報を用いる第１の画像間予測モードにおいて、第１の所定順位に基づいて前記複数の参照ブロック候補から第１の候補リストを生成し、前記第１の候補リストに登録された参照ブロック候補を特定する為のインデックスを付与し、前記複数の参照ブロック候補のインデックスを出力する第２ステップと、
インデックスによって特定される参照ブロックの前記符号化情報が備える動きベクトルの情報に基づく予測動きベクトルと前記符号化対象ブロックの動きベクトルとの差分動きベクトルを用いる第２の画像間予測モードにおいて、第２の所定順位に基づいて前記複数の参照ブロック候補から第２の候補リストを生成し、前記第２の候補リストに登録された参照ブロック候補を特定する為のインデックスを付与し、前記複数の参照ブロック候補のインデックス及び前記差分動きベクトルを出力する第３ステップと、
前記第２ステップ及び前記第３ステップにより出力される出力結果をもとに、前記符号化対象ブロックごとの参照ブロックと画像間予測モードとを決定する第４ステップと、
前記第４ステップにより決定された参照ブロックのインデックスと、前記第４ステップにより決定された画像間予測モードを示す予測モード情報と、第２の画像間予測モードが決定された場合の参照ブロックに対応した前記差分動きベクトルとを符号化する第５ステップと、
を有し、
前記第２ステップ及び前記第３ステップは、前記複数の参照ブロック候補として、共通の複数のブロックを使用する、
ことを特徴とする送信プログラム。
【手続補正２】
【補正対象書類名】明細書
【補正対象項目名】発明の名称
【補正方法】変更
【補正の内容】
【発明の名称】画像符号化装置、画像符号化方法及び画像符号化プログラム、並びに、送信装置、送信方法、及び送信プログラム
【手続補正３】
【補正対象書類名】明細書
【補正対象項目名】００１２
【補正方法】変更
【補正の内容】
【００１２】
動画像の各ピクチャを分割したブロック単位で動きベクトルを用いて符号化する画像符号化装置であって、符号化対象ブロックの複数の参照ブロック候補の符号化情報を取得する取得部と、インデックスによって特定される参照ブロックの前記符号化情報が備える動きベクトルの情報を用いる第１の画像間予測モードにおいて、第１の所定順位に基づいて前記複数の参照ブロック候補から第１の候補リストを生成し、前記第１の候補リストに登録された参照ブロック候補を特定する為のインデックスを付与し、前記複数の参照ブロック候補のインデックスを出力する第１のモード検出部と、インデックスによって特定される参照ブロックの前記符号化情報が備える動きベクトルの情報に基づく予測動きベクトルと前記符号化対象ブロックの動きベクトルとの差分動きベクトルを用いる第２の画像間予測モードにおいて、第２の所定順位に基づいて前記複数の参照ブロック候補から第２の候補リストを生成し、前記第２の候補リストに登録された参照ブロック候補を特定する為のインデックスを付与し、前記複数の参照ブロック候補のインデックス及び前記差分動きベクトルを出力する第２のモード検出部と、前記第１のモード検出部及び前記第２のモード検出部の出力結果をもとに、前記符号化対象ブロックごとの参照ブロックと画像間予測モードとを決定する予測方法決定部と、前記予測方法決定部により決定された参照ブロックのインデックスと、前記予測方法決定部により決定された画像間予測モードを示す予測モード情報と、第２の画像間予測モードが決定された場合の参照ブロックに対応した前記差分動きベクトルとを符号化する符号列生成部と、を備え、前記第１のモード検出部及び前記第２のモード検出部は、前記複数の参照ブロック候補として、共通の複数のブロックを使用する、ことを特徴とする画像符号化装置を提供する。
動画像の各ピクチャを分割したブロック単位で動きベクトルを用いて符号化する画像符号化方法であって、符号化対象ブロックの複数の参照ブロック候補の符号化情報を取得する第１ステップと、インデックスによって特定される参照ブロックの前記符号化情報が備える動きベクトルの情報を用いる第１の画像間予測モードにおいて、第１の所定順位に基づいて前記複数の参照ブロック候補から第１の候補リストを生成し、前記第１の候補リストに登録された参照ブロック候補を特定する為のインデックスを付与し、前記複数の参照ブロック候補のインデックスを出力する第２ステップと、インデックスによって特定される参照ブロックの前記符号化情報が備える動きベクトルの情報に基づく予測動きベクトルと前記符号化対象ブロックの動きベクトルとの差分動きベクトルを用いる第２の画像間予測モードにおいて、第２の所定順位に基づいて前記複数の参照ブロック候補から第２の候補リストを生成し、前記第２の候補リストに登録された参照ブロック候補を特定する為のインデックスを付与し、前記複数の参照ブロック候補のインデックス及び前記差分動きベクトルを出力する第３ステップと、前記第２ステップ及び前記第３ステップにより出力される出力結果をもとに、前記符号化対象ブロックごとの参照ブロックと画像間予測モードとを決定する第４ステップと、前記第４ステップにより決定された参照ブロックのインデックスと、前記第４ステップにより決定された画像間予測モードを示す予測モード情報と、第２の画像間予測モードが決定された場合の参照ブロックに対応した前記差分動きベクトルとを符号化する第５ステップと、を有し、前記第２ステップ及び前記第３ステップは、前記複数の参照ブロック候補として、共通の複数のブロックを使用することを特徴とする画像符号化方法を提供する。
動画像の各ピクチャを分割したブロック単位で動きベクトルを用いて符号化する画像符号化プログラムであって、符号化対象ブロックの複数の参照ブロック候補の符号化情報を取得する第１処理と、インデックスによって特定される参照ブロックの前記符号化情報が備える動きベクトルの情報を用いる第１の画像間予測モードにおいて、第１の所定順位に基づいて前記複数の参照ブロック候補から第１の候補リストを生成し、前記第１の候補リストに登録された参照ブロック候補を特定する為のインデックスを付与し、前記複数の参照ブロック候補のインデックスを出力する第２処理と、インデックスによって特定される参照ブロックの前記符号化情報が備える動きベクトルの情報に基づく予測動きベクトルと前記符号化対象ブロックの動きベクトルとの差分動きベクトルを用いる第２の画像間予測モードにおいて、第２の所定順位に基づいて前記複数の参照ブロック候補から第２の候補リストを生成し、前記第２の候補リストに登録された参照ブロック候補を特定する為のインデックスを付与し、前記複数の参照ブロック候補のインデックス及び前記差分動きベクトルを出力する第３処理と、前記第２処理及び前記第３処理により出力される出力結果をもとに、前記符号化対象ブロックごとの参照ブロックと画像間予測モードとを決定する第４処理と、前記第４処理により決定された参照ブロックのインデックスと、前記第４処理により決定された画像間予測モードを示す予測モード情報と、第２の画像間予測モードが決定された場合の参照ブロックに対応した前記差分動きベクトルとを符号化する第５処理と、をコンピュータに実行させ、前記第２処理及び前記第３処理は、前記複数の参照ブロック候補として、共通の複数のブロックを使用することを特徴とする画像符号化プログラムを提供する。
動画像の各ピクチャを分割したブロック単位で動きベクトルを用いて符号化する画像符号化方法により符号化された符号化ストリームをパケット化して符号化データを得るパケット処理部と、パケット化された前記符号化データを送信する送信部とを備え、前記画像符号化方法は、符号化対象ブロックの複数の参照ブロック候補の符号化情報を取得する第１ステップと、インデックスによって特定される参照ブロックの前記符号化情報が備える動きベクトルの情報を用いる第１の画像間予測モードにおいて、第１の所定順位に基づいて前記複数の参照ブロック候補から第１の候補リストを生成し、前記第１の候補リストに登録された参照ブロック候補を特定する為のインデックスを付与し、前記複数の参照ブロック候補のインデックスを出力する第２ステップと、インデックスによって特定される参照ブロックの前記符号化情報が備える動きベクトルの情報に基づく予測動きベクトルと前記符号化対象ブロックの動きベクトルとの差分動きベクトルを用いる第２の画像間予測モードにおいて、第２の所定順位に基づいて前記複数の参照ブロック候補から第２の候補リストを生成し、前記第２の候補リストに登録された参照ブロック候補を特定する為のインデックスを付与し、前記複数の参照ブロック候補のインデックス及び前記差分動きベクトルを出力する第３ステップと、前記第２ステップ及び前記第３ステップにより出力される出力結果をもとに、前記符号化対象ブロックごとの参照ブロックと画像間予測モードとを決定する第４ステップと、前記第４ステップにより決定された参照ブロックのインデックスと、前記第４ステップにより決定された画像間予測モードを示す予測モード情報と、第２の画像間予測モードが決定された場合の参照ブロックに対応した前記差分動きベクトルとを符号化する第５ステップと、を有し、前記第２ステップ及び前記第３ステップは、前記複数の参照ブロック候補として、共通の複数のブロックを使用する、ことを特徴とする送信装置を提供する。
動画像の各ピクチャを分割したブロック単位で動きベクトルを用いて符号化する画像符号化方法により符号化された符号化ストリームをパケット化して符号化データを得るパケット処理ステップと、パケット化された前記符号化データを送信する送信ステップとを備え、前記画像符号化方法は、符号化対象ブロックの複数の参照ブロック候補の符号化情報を取得する第１ステップと、インデックスによって特定される参照ブロックの前記符号化情報が備える動きベクトルの情報を用いる第１の画像間予測モードにおいて、第１の所定順位に基づいて前記複数の参照ブロック候補から第１の候補リストを生成し、前記第１の候補リストに登録された参照ブロック候補を特定する為のインデックスを付与し、前記複数の参照ブロック候補のインデックスを出力する第２ステップと、インデックスによって特定される参照ブロックの前記符号化情報が備える動きベクトルの情報に基づく予測動きベクトルと前記符号化対象ブロックの動きベクトルとの差分動きベクトルを用いる第２の画像間予測モードにおいて、第２の所定順位に基づいて前記複数の参照ブロック候補から第２の候補リストを生成し、前記第２の候補リストに登録された参照ブロック候補を特定する為のインデックスを付与し、前記複数の参照ブロック候補のインデックス及び前記差分動きベクトルを出力する第３ステップと、前記第２ステップ及び前記第３ステップにより出力される出力結果をもとに、前記符号化対象ブロックごとの参照ブロックと画像間予測モードとを決定する第４ステップと、前記第４ステップにより決定された参照ブロックのインデックスと、前記第４ステップにより決定された画像間予測モードを示す予測モード情報と、第２の画像間予測モードが決定された場合の参照ブロックに対応した前記差分動きベクトルとを符号化する第５ステップと、を有し、前記第２ステップ及び前記第３ステップは、前記複数の参照ブロック候補として、共通の複数のブロックを使用することを特徴とする送信方法を提供する。
動画像の各ピクチャを分割したブロック単位で動きベクトルを用いて符号化する画像符号化方法により符号化された符号化ストリームをパケット化して符号化データを得るパケット処理ステップと、パケット化された前記符号化データを送信する送信ステップとをコンピュータに実行させ、前記画像符号化方法は、符号化対象ブロックの複数の参照ブロック候補の符号化情報を取得する第１ステップと、インデックスによって特定される参照ブロックの前記符号化情報が備える動きベクトルの情報を用いる第１の画像間予測モードにおいて、第１の所定順位に基づいて前記複数の参照ブロック候補から第１の候補リストを生成し、前記第１の候補リストに登録された参照ブロック候補を特定する為のインデックスを付与し、前記複数の参照ブロック候補のインデックスを出力する第２ステップと、インデックスによって特定される参照ブロックの前記符号化情報が備える動きベクトルの情報に基づく予測動きベクトルと前記符号化対象ブロックの動きベクトルとの差分動きベクトルを用いる第２の画像間予測モードにおいて、第２の所定順位に基づいて前記複数の参照ブロック候補から第２の候補リストを生成し、前記第２の候補リストに登録された参照ブロック候補を特定する為のインデックスを付与し、前記複数の参照ブロック候補のインデックス及び前記差分動きベクトルを出力する第３ステップと、前記第２ステップ及び前記第３ステップにより出力される出力結果をもとに、前記符号化対象ブロックごとの参照ブロックと画像間予測モードとを決定する第４ステップと、前記第４ステップにより決定された参照ブロックのインデックスと、前記第４ステップにより決定された画像間予測モードを示す予測モード情報と、第２の画像間予測モードが決定された場合の参照ブロックに対応した前記差分動きベクトルとを符号化する第５ステップと、を有し、前記第２ステップ及び前記第３ステップは、前記複数の参照ブロック候補として、共通の複数のブロックを使用することを特徴とする送信プログラムを提供する。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】